【手続補正書】
【提出日】平成24年10月16日(2012.10.16)
【手続補正１】
【補正対象書類名】特許請求の範囲
【補正対象項目名】全文
【補正方法】変更
【補正の内容】
【特許請求の範囲】
【請求項１】
電子デバイスによって取得された画像を処理する方法であって、
複数の生ラインバッファと、複数の処理されたラインバッファとを含むメモリを提供することと、
第１の画像処理モジュールと、第２の画像処理モジュールとを含むフロントエンド処理ユニットを提供することと、
前記電子デバイスを用いて第１の画像を取得することと、
前記第１の画像の画像幅を収納できる大きさのラインバッファを用いて前記第１の画像を処理することと、
前記電子デバイスを用いて、前記第１の画像の画像幅よりも大きい画像幅を有する第２の画像を取得することと、
前記ラインバッファを用いて、第１の縦縞および第２の縦縞を含む、前記第２の画像の縦縞を処理することと
を備え、前記第２の画像の縦縞は、前記ラインバッファ内に収まる幅を定める方法。
【請求項２】
前記第２の画像の縦縞を処理することは、
前記第１の縦縞の連続するラインを前記第１の画像処理モジュール内にロードすることと、
第１の連続する処理された結果を前記ラインバッファへ書き戻すことと、
前記第１の連続する処理された結果を前記第２の画像処理モジュール内にロードすることと、
第２の連続する処理された結果を前記複数の処理されたラインバッファへ書き戻すことと、
前記第２の縦縞の連続するラインを前記第１の画像処理モジュール内にロードすることと、
第３の連続する処理された結果を前記複数の処理されたラインバッファへ書き戻すことと、
前記第３の連続する処理された結果を前記第２の画像処理モジュール内にロードすることと、
第４の連続する処理された結果を前記複数の処理されたラインバッファへ書き戻すことと
を備える請求項１に記載の方法。
【請求項３】
前記第１の画像を処理することは、
前記第１の画像の連続するラインを前記第１の画像処理モジュール内にロードすることと、
第５の連続する処理された結果を前記複数の処理されたラインバッファへ書き戻すことと、
前記第５の連続する処理された結果を前記第２の画像処理モジュール内にロードすることと、
第６の連続する処理された結果を前記複数の処理されたラインバッファへ書き戻すことと
を備える請求項１に記載の方法。
【請求項４】
前記第１の画像は、画像取得装置から直接処理される請求項１に記載の方法。
【請求項５】
前記第１の画像処理モジュールおよび前記第２の画像処理モジュールは各々、２次元フィルタリングモジュールと、デモザイクモジュールと、レンズロールオフ補正モジュールと、拡大縮小モジュールと、１又は複数の色補正モジュールと、１又は複数の色変換モジュールと、ノイズ低減フィルタリングモジュールと、空間フィルタリングモジュールとのうちの１つである請求項１に記載の方法。
【請求項６】
複数の生ラインバッファと、複数の処理されたラインバッファとを含むメモリを用いて、デバイス内の画像を処理する方法であって、
第１の画像処理モジュールと第２の画像処理モジュールとを備えるフロントエンド処理ユニットを提供することと、
デバイスを用いてビューファインダ画像を取得することと、
前記ラインバッファを用いて前記ビューファインダ画像を処理することであって、前記ラインバッファの幅は前記ビューファインダ画像を収納できる大きさであることと、
前記デバイスを用いて、第２の画像を取得することと、
前記ラインバッファを用いて、第１の縦縞および第２の縦縞を含む、前記第２の画像の縦縞を処理することと
を備え、前記第２の画像の縦縞は、前記ラインバッファ内に収まる幅を定める方法。
【請求項７】
前記第２の画像の縦縞を処理することは、前記第１の縦縞の連続するラインを前記第１の画像処理モジュール内にロードすることを備える請求項６に記載の方法。
【請求項８】
前記第１の画像は、画像取得装置から直接処理される請求項６に記載の方法。
【請求項９】
前記第１の画像処理モジュールおよび前記第２の画像処理モジュールは各々、２次元フィルタリングモジュールと、デモザイクモジュールと、レンズロールオフ補正モジュールと、拡大縮小モジュールと、１又は複数の色補正モジュールと、１又は複数の色変換モジュールと、ノイズ低減フィルタリングモジュールと、空間フィルタリングモジュールとのうちの１つである請求項６に記載の方法。
【請求項１０】
画像取得デバイスであって、
第１の画像を取得する第１の画像取得装置と、
前記第１の画像の幅よりも大きい幅を有する第２の画像を取得する第２の画像取得装置と、
複数の生ラインバッファと、複数の処理されたラインバッファとを含むメモリと、
第１の縦縞および第２の縦縞を含む、前記第２の画像の縦縞を定めるメモリコントローラと、
第１の画像処理モジュールと第２の画像処理モジュールとを含む処理ユニットと
を備え、前記処理ユニットは前記ラインバッファを用いて前記第２の画像の縦縞を処理するように構成され、前記ラインバッファは前記第２の画像の幅よりも小さい幅を定める画像取得デバイス。
【請求項１１】
前記メモリコントローラは、前記第１の縦縞の連続するラインを前記第１の画像処理モジュール内にロードするように構成される請求項１０に記載のデバイス。
【請求項１２】
前記メモリコントローラはさらに、第１の連続する処理された結果を前記第２の画像処理モジュール内にロードするように構成される請求項１１に記載のデバイス。
【請求項１３】
前記メモリコントローラはさらに、前記第１の画像を処理しないように構成される請求項１０に記載のデバイス。
【請求項１４】
前記処理ユニットは画像処理パイプラインを含み、前記処理ユニットは前記第１の画像を画像取得装置から直接処理するように構成される請求項１０に記載のデバイス。
【請求項１５】
前記デバイスは無線電話を備え、前記第１の画像取得装置は前記デバイスのデジタルカメラを備える請求項１４に記載のデバイス。
【請求項１６】
第１の画像処理モジュールと第２の画像処理モジュールとを備える、デバイスによって取得された画像を処理するフロントエンド処理ユニットであって、
前記フロントエンド処理ユニットは、
前記第１の画像の画像幅を収納できる大きさのラインバッファを用いて、前記デバイスによって取得された画像のうちの第１の画像を処理し、
前記ラインバッファを用いて、前記デバイスによって取得された画像のうちの第２の画像の第１の縦縞および第２の縦縞を含む複数の縦縞を処理し、前記第２の画像は前記第１の画像の画像幅よりも大きく、前記ラインバッファのサイズよりも大きい画像幅を有し、前記縦縞は前記ラインバッファ内に収まる幅を定めるフロントエンド処理ユニット。
【請求項１７】
前記フロントエンド処理ユニットは、前記第１の画像処理モジュールへの前記第１の縦縞の連続するラインを受信し、第１の連続する処理された結果を生成する請求項１６に記載のフロントエンド処理ユニット。
【請求項１８】
画像処理パイプラインをさらに備え、前記フロントエンド処理ユニットは、前記第２の画像を画像取得装置から直接処理するように構成される請求項１６に記載のフロントエンド処理ユニット。
【請求項１９】
前記第１の画像処理モジュールおよび前記第２の画像処理モジュールは各々、２次元フィルタリングモジュールと、デモザイクモジュールと、レンズロールオフ補正モジュールと、拡大縮小モジュールと、１又は複数の色補正モジュールと、１又は複数の色変換モジュールと、ノイズ低減フィルタリングモジュールと、空間フィルタリングモジュールとのうちの１つである請求項１６に記載のフロントエンド処理ユニット。